(57)【要約】【課題】電気機具や電子機器に装着されて使用経過中の電池の交換時期を容易に確認できる電池を得る。【解決手段】電池１０は交換時期の目安となる使用開始月を表記することのできる本体表面を有する。【選択図】        図１
2004171826.tif 000002
【特許請求の範囲】
【請求項１】
電池の使用開始月又は年月を表記することのできる表面領域を有することを特徴とする電池。
【請求項２】
上記表面領域は、使用開始月又は年月が筆記具で書き込める書込可能な面で形成されていることを特徴とする請求項１記載の電池。
【請求項３】
上記電池の本体表面に“電池のご使用開始月”又は、“電池のご使用開始年月”の文字が印刷されることを特徴とする請求項２記載の電池。
【請求項４】
上記電池の本体表面に電池の使用開始月又は使用開始年月をマーキングできる１２ヶ月分の月表示がされていることを特徴とする請求項１記載の電池。
【請求項５】
上記月表示は、数字表示（１，２・・１２）、英字三文字表示（ＪＡＮ，ＦＥＢ  ・・ＤＥＣ  ）、陰暦表示（やよい（弥生）、きさらぎ（如月）・・しはす（師走））のいずれかであることを特徴とする請求項４記載の電池。
【請求項６】
上記月表示又は年月表示は、電池の本体表面に直接印刷表示されることを特徴とする請求項４記載の電池。
【請求項７】
上記月表示又は年月表示は、電池の使用開始月又は使用開始年月に該当する月又は年月のシールを電池の本体表面に貼付することでなされることを特徴とする請求項１記載の電池。
【請求項８】
上記電池の本体表面上で上記月表示又は年月表示の隣接する数字間又は文字間に個々の数字又は文字が損傷又は磨耗することを防止するガードを形成することを特徴とする請求項４記載の電池。
【請求項９】
上記ガードは、上記個々の数字又は文字の周囲を囲み形成されることを特徴とする請求項７記載の電池。
【請求項１０】
電池の使用開始月毎に該当月のシールを剥がして電池本体の表面に貼付できる１２ヶ月分の月表示がされたシールが剥離可能に貼付されていることを特徴とする電池の使用期間管理ラベル。
【請求項１１】
上記シールの月表示は、数字表示（１，２・・１２）、英字三文字表示（ＪＡＮ，ＦＥＢ  ・・ＤＥＣ  ）、陰暦表示（やよい（弥生）、きさらぎ（如月）・・しはす（師走））のいずれかであることを特徴とする請求項１０記載の使用期間管理ラベル。
【発明の詳細な説明】
【０００１】
【発明の属する技術分野】
本発明は、使用開始月又は年月が本体表面に表示された電池及び電池の使用期間管理ラベルに係り、特に、電気器具又は電子機器を遠隔操作するリモコン等のように長時間に亘って同じ電池が使用される電子機器に用いて好適な電池及び電池の使用期間管理ラベルに関する。
【０００２】
【従来の技術】
従来、一般に電気機具や電子機器、例えば、音響機器や映像機器を遠隔操作するリモートコントロルスイッチ、所謂リモコンに装着されて使用される電池は、一旦装着されると使用開始日を正確に記憶していないため現時点までの使用経過期間を確認できないのが普通である。このため、電池の充電容量を超えて使用した場合、所謂電池切れが生じ操作時に支障を来たすことがある。
【０００３】
又、音響機器や映像機器を駆動するためのオンオフ操作をしないで電池を装着したままで所定の期間が経過すると、劣化による所謂電池の液漏れが生じてしまう虞があった。
電池の使用開始日、使用開始月又は、使用開始年を当該電池以外のところで個別に記録して管理することも考えられるが煩雑で実用的ではない。
【０００４】
又、電池自体に使用開始日、使用開始月又は、使用開始年を表示することも一般的には行われていない。ある種の機器に装着した場合、数週間で充電容量を消費してしまい交換を必要とする種類の電池もあるが、遠隔操作用スイッチ（以下「リモコン」と略称する。）では、通常２年間の保障期間はあるが、大よそ１年間経過した時点で操作者に電池を装着してからの経過期間を認識させ電池の劣化による液漏れが生じる前の安定した状態を保持するため強制的に電池の交換を促すことが好ましい。
【０００５】
従来、電池本体の外装にラベルが貼られる構造の先行技術がある。電池ケースの外側円筒面が２枚の熱収縮性絶縁ラベルで被覆されているものがある（例えば、特許文献１参照）。又２個の電池の外周面を外装ラベルで巻き付けて貼着するものがある（例えば、特許文献２参照）。電池缶およびスペーサをタックシール材で被覆するものもある（例えば、特許文献３参照）。
しかしながら、いずれも使用期間を管理するための開始日や開始月を表示するものでもなく、電池の使用期間を管理しようとする意図もない。
【０００６】
【特許文献１】
特開２０００−２２８１７４号公報（明細書の段落〔００３５〕、第１図）
【特許文献２】
特開２０００−２９４２１０号公報（明細書の段落〔００３９〕、第４図）
【特許文献３】
特開平１０−８３８０２号公報（明細書の段落〔００１５〕、第１図、第２図）
【０００７】
【発明が解決しようとする課題】
電気機具や電子機器を遠隔操作するための、例えばリモコンに装着した電池の使用開始日又は使用開始月からの使用期間が容易に確認できれば、電池の劣化による液漏れや電池切れの前に新たな電池と交換できる。しかしながら、電池を購入しパッケージを破り取り出してリモコンに一旦、装着してしまうと、その使用開始日又は使用開始月を正確に覚えておくのは難しい。従って電池の交換時期を見過ごすことが多いのが実情である。そこで、リモコンに装着される前に電池自体に使用開始月又は使用開始年月を表記して装着後に使用経過中の電池の交換時期を操作者に知らせ確認できることが望まれていた。
【０００８】
本発明は、上記事情に鑑みてなされたものであり、電気機具や電子機器を遠隔操作する、例えば、リモコンに装着されて使用経過中の電池の交換時期を容易に確認できる電池及び電池の使用期間管理ラベル提供することを目的とする。
【０００９】
【課題を解決するための手段】
上述したような課題を解決し、上記目的を達成するため、本出願の請求項１記載の電池は、電池の使用開始月又は年月を表記することのできる表面領域を有することを特徴としている。
【００１０】
本出願の請求項２記載の電池は、電池の本体表面の一部の表面領域は、使用開始月又は年月が筆記具で書き込める書込可能な面で形成されていることを特徴としている。
【００１１】
本出願の請求項３記載の電池は、本体表面に“電池のご使用開始月”又は、“電池のご使用開始年月”の文字が印刷されることを特徴としている。
【００１２】
本出願の請求項４記載の電池は、本体表面に電池の使用開始月又は使用開始年月をマーキングできる１２ヶ月分の月表示がされていることを特徴としている。
【００１３】
本出願の請求項５記載の電池は、月表示が数字表示（１，２・・１２）、英字三文字表示（ＪＡＮ，ＦＥＢ  ・・ＤＥＣ  ）、陰暦表示（やよい（弥生）、きさらぎ（如月）・・しはす（師走））のいずれかであることを特徴としている。
【００１４】
本出願の請求項６記載の電池は、月表示又は年月表示が電池の本体表面に直接印刷表示されることを特徴としている。
【００１５】
本出願の請求項７記載の電池は、月表示又は年月表示は、電池の使用開始月又は使用開始年月に該当する月又は年月のシールを電池の本体表面に貼付することでなされることを特徴としている。
【００１６】
本出願の請求項８記載の電池は、電池の本体表面上で月表示又は年月表示の隣接する数字間又は文字間に個々の数字又は文字が損傷又は磨耗することを防止するガードを形成することを特徴としている。
【００１７】
本出願の請求項９記載の電池は、ガードが個々の数字又は文字の周囲を囲み形成されることを特徴としている。
【００１８】
本出願の請求項１０記載の使用期間管理ラベルは、電池の使用開始月毎に該当月のシールを剥がして電池本体の表面に貼付できる１２ヶ月分の月表示がされたシールが剥離可能に貼付されていることを特徴としている。
【００１９】
本出願の請求項１１記載の使用期間管理ラベルは、シールの月表示は、数字表示（１，２・・１２）、英字三文字表示（ＪＡＮ，ＦＥＢ  ・・ＤＥＣ  ）、陰暦表示（やよい（弥生）、きさらぎ（如月）・・しはす（師走））のいずれかであることを特徴としている。
【００２０】
上述のように構成したことにより、本出願の請求項１記載の電池では、電池の使用開始時であって、電気器具又は電子機器を遠隔操作するリモコンに装着する前に当該電池の本体表面に直接使用開始月を書き込み表示することで装着後の使用経過中に当該電池を取り外して表示された使用開始月、即ち使用経過月数を確認できる。そのことによって当該電池の交換が必要か否かの判断が容易にできる。更に、当該リモコンにとって好ましい電池の取り換え時期を目安にして強制的に電池の取り換えをすることができる。又、電池の使用開始月の表示に加え、該当する年表示をしておくことによって、年度をまたがり１２ヶ月を超えた使用経過期間をも正確に確認することができる。
【００２１】
本出願の請求項２記載の電池では、電池の本体表面を凹凸処理されたマット上にインクを乗せておき鉛筆やボールペン等の筆記具で書き付けることを可能としている。それによって、電池の使用者は、使用開始時に簡単に使用開始月を電池の本体表面に書き込むことができる。
【００２２】
本出願の請求項３記載の電池では、電池の本体表面の一部に予め“電池のご使用開始月”の文字を印刷しておく。それによって、電池の使用者は、使用開始時に必ず使用開始月を書き込むことを促され、書き込み忘れを防ぐことができる。
【００２３】
本出願の請求項４記載の電池では、電池の本体表面に電池の使用開始月をマーキングできる１２ヶ月分の月表示が例えば印刷されている。そのことによって、電池の使用者は、使用開始時に使用開始月の数字や、文字を筆記具を用いて囲んだり、チエックするだけの簡単な操作でマーキングすることができる。
【００２４】
本出願の請求項５記載の電池では、月表示を数字表示のみならず、ＪＡＮ，ＦＥＢ  等の英字三文字表示や、やよい（弥生）、きさらぎ（如月）・・しはす（師走）等の陰暦表示をもすることができ使用者の趣味感に合う選択を可能としている。
【００２５】
本出願の請求項６記載の電池では、月表示が電池の本体表面に直接印刷表示されているので使用者は使用開始時の装着前に使用開始月のマーキングを忘れずに実行できる。
【００２６】
本出願の請求項７記載の電池では、電池の本体表面に印刷をする工程を省きシールを貼るだけの簡単な動作で使用開始月を表示できる。
【００２７】
本出願の請求項８記載の電池では、電池の本体表面上に印刷された月表示の隣接する数字間又は文字間に数字や、文字の表面の高さより高いガードを透明樹脂で形成する。それによって、組立て工程中に数字や文字に傷が付いたり、隣り合う電池同士が擦れ合うことによって個々の数字又は文字が損傷又は磨耗することを防ぐことができる。
【００２８】
本出願の請求項９記載の電池では、数字や文字を保護するガードが個々の数字又は文字の周囲を囲み形成することでもよい。それによって、
数字又は文字は四方から確実にガードされる。
【００２９】
本出願の請求項１０記載の電池の使用期間管理ラベルでは、１２ヶ月分の月表示がされたシールが剥離可能に貼付されている。それによって、電池使用者は、該当月のシールを剥がし電池の本体表面に貼付すればよい。簡単な作業で使用開始月の表示ができる。
【００３０】
本出願の請求項１１記載の電池の使用期間管理ラベルでは、月毎の表示を数字表示のみならず、ＪＡＮ，ＦＥＢ  等の英字三文字表示や、やよい（弥生）、きさらぎ（如月）・・しはす（師走）等の陰暦表示をもすることができ使用者の趣味感に合うシールの選択を可能としている。
【００３１】
【発明の実施の形態】
以下、本発明の実施の形態を添付図面を参照して説明する。図１は本発明の一実施の形態を示す電池の外観図、図２は、本発明の他の実施の形態を示す電池の外観図、図３は、本発明の更に他の実施の形態を示す電池の外観図、図４は、本発明の使用期間管理ラベルの表示例を示す図、図５は、図４に示す使用期間管理ラベルを電池の本体表面に貼付した使用例を示す外観図、図６は、本発明の一実施の形態を示す月毎のシールを剥離可能に並べてなる電池の使用期間管理ラベルを示す図、図７は、図６に示す電池の使用期間管理用ラベルを電池の表面に該当月のシールを貼付した使用例を示す図、図８は、転写シールを用いて電池の表面に使用開始月を転写することを説明する図、図９は、図３に示す電池の表面に印刷された数字と数字との間にガードを設けた実施の形態を示す図、図１０は、図９に示す文字とガードとの高さの違いを示す側面図、図１１は、図９に示す個々の数字を四方からガードで囲んだ状態を示す平面図である。
【００３２】
図１は本発明の一実施の形態を示す電池の外観図であり、電池１０は乾電池を示すが、これに限らず乾電池以外の電池の種類は問わず適用できる。以下に述べる実施の形態の説明では電気器具としてリモコンを想定して説明する。
電池１０の外側表面に予め“電池のご使用開始月”の文字を印刷しておく。当該電池の使用者は、使用開始時でリモコンに装着する前に使用者自らが鉛筆、ペンなどで“電池のご使用開始月”と印刷された文字の近傍に使用開始月を書き込めばよい。図１では該当月の４月に相当する数字“４”が記入される。
【００３３】
上記数字“４”が記入される電池の表面領域は、少なくとも該当月の数字が書き込める領域に例えば白い塗料を塗りマット印刷を施しておく。白い塗料上を鉛筆又はボールペン等の筆記具でなぞれば数字“４”などの数字が書き込める。凹凸のあるインクが載せてあるマット印刷のように鉛筆等の書き込み跡が残るような表面処理が施されている素材面であればよく限定されるものではない。
【００３４】
他の実施の形態として図２に示すように“電池のご使用開始月”の“４”を記入した余白部分に使用開始の年、２００２年の例えば“２０００２”の数字を書き込み、“２００２・４”と表示し電池の使用開始年度と月である２００２年４月を表記することもできる。これは電池の使用開始時でリモコンに装着する前に使用者自らがペンなどで電池の表面領域に書き込めばよい。
【００３５】
図１及び図２に示すように、リモコンに装着する前に使用開始月、又は使用開始年及び月を表す数値を電池本体の表面に書き込まれた電池１０は、リモコンに装着後の使用経過中に当該電池を取り外して表記された使用開始月、又は使用開始年及び月の数字を見ることによって使用経過月数を確認できる。そのことによって当該電池の使用中の交換が必要か否かの判断が容易にできる。又、当該リモコンにとって好ましい電池の取り換え時期を目安にして強制的に電池の取り換えをすることができる。
【００３６】
図３は、本発明の更に他の実施の形態を示す電池の外観図であり、予め電池１０の表面に１２ヶ月分の月を表わす１から１２までの数字を印刷しておく。使用者は、電池の使用開始時に当該使用開始月に相当する数字を筆記具を用いて囲んだり、該当月に相当する数字をチエックした後、当該電池をリモコンに装着する。
【００３７】
上述の実施形態では電池の使用開始月を数字表示（１，２・・１２）とする例について説明したが、これに限らず各月を表す英語表現の英字三文字表示（ＪＡＮ，ＦＥＢ  ・・ＤＥＣ  ）、や陰暦表示（やよい（弥生）、きさらぎ（如月）・・しはす（師走））を用いて表示することもできる。
【００３８】
図４は、本発明の一実施の形態を示す電池の使用期間管理ラベルの表記例を示す図である。１枚のラベル１１上に１２ヶ月分の各使用開始月を表す数字が表記される。使用者は当該電池の使用開始時において、リモコンに装着する前にラベル１１の使用開始月に該当する数値、例えば５月の場合は“５”の数値を丸印で囲み、７月の場合は“７”の数値をチエックする。このラベル１１を図５に示すように電池１０の表面に貼付する。尚、図４に示すラベル１１には年の表記はされていないが余白に年の表記“２００２”の数値を入れてもよい。
【００３９】
図１、図２、図３及び図５に示す夫々の電池１０は、リモコンに装着後の使用経過中に当該電池を取り外して表記された使用開始月、即ち使用経過月数を読むことによって当該電池の交換時期を確認でき、そのことによって当該電池の使用経過中での交換が必要か否かの判断が容易にできる。更に、当該リモコンにとって好ましい電池の取り換え時期を目安にして強制的に電池の取り換えをすることができる。
【００４０】
図６は、本発明の他の実施の形態を示す月毎のシール１３を剥離可能に並べてなる電池の使用期間管理ラベルを示す図である。
この電池の使用期間管理ラベル１２は、１２ヶ月分の各月を表す数字を表記したシール１３が夫々剥離可能に並列されている。この電池の使用開始月が９月の場合、“９”の数値が表記されているシール１３を剥がして図７に示す電池１０の表面に貼付する。
【００４１】
９月に相当する数字“９”を表示したシール１３を貼付した電池１０がリモコンに装着後の使用経過中に当該電池の残りの使用可能な期間を知りたい場合がある。この時、当該電池をリモコン本体から取り外して表記された使用開始月を読み取り、即ち“９”の数値から９月に使用を開始したことが確認できる。このことから使用経過月数を数え、当該電池の使用中の交換が必要か否かの判断が容易にできる。
尚、このシール１３には使用開始月のみを表記しているが該当年の数値例えば、“２００２”をも月の数値に併記することもできる。
【００４２】
本発明の電池は、電池をリモコンに装着する際に使用開始月を強制的に電池の表面に書き込みをしたり、予め電池の表面に印刷されている該当月をチェックしたり、又は、電池の使用期間管理ラベル上の該当月をチェックしたり、該当月のシールを剥がして電池の外側表面に貼付するなどする。このことによって、一旦リモコンに装着された電池を使用経過中に取り外して該当月を確認することにより、電池の装着されているリモコンにとって好ましい電池の取り換え時期を目安にして強制的に電池を取り換える。このことは、電池の寿命である使用期間を経過していることを見過ごしてリモコンを不動作状態としたり、電池を装着したままで不使用状態を長期間続けていたことにより、電池の液漏れの状態になるなどの不具合を防ぐことができ安定したリモコンの使用を保障できる。
【００４３】
図８は、本発明の他の実施の形態を示す図であり、転写シールを用いて電池１０の表面に使用開始月を転写することを説明する。
転写シール１４は、１２ヶ月分の数値が表示されていて使用開始月の例えば１１月に相当する数字“１１”を電池１０の“電池のご使用開始月”と表記されている文字の隣に当て、上方から数字“１１”を擦り電池１０の表面に転写する。転写シール１４は、材質、構成など通常一般に使用されているものでよい。
【００４４】
図９は、図３に示した電池の表面に印刷された数字と数字との間にガードを設けた実施の形態を示す。
電池の製造工程においては、電池を転がしながら次工程に移る場合がある。このとき、電池の表面に印刷された月数を表す数字や、文字が摩擦により傷が付いたり、又は隣り合う電池同士が擦れ合うことによって個々の数字又は文字が損傷したり又は磨耗することがある。これを防ぐために隣接する数字と数字との間に夫々ガード１５を形成する。
【００４５】
ガード１５は、例えば透明な樹脂を数字間に盛り上げて形成する。高さは１０〜１００μｍ位でよい。図１０は、図９に示す数字とガード１５の高さの違いを示す側面図である。図からガード１５の高さは数字１６の高さに比べ高いことが知られガード１５によって数字１６がガードされていることが明らかである。
【００４６】
図１１は、図９に示す個々の数字を四方からガードで囲んだ状態を示す。図９に示したような数字間に設けたガード１５に加え、複数の並列している数字の周囲を透明な樹脂を盛り上げてガード１７を形成する。
その結果、個々の数字の周囲は四方からガード１５、１７で囲まれ保護される。
【００４７】
上述した本発明の電池に貼付されるラベルは、図４に示すように各月を直線状に並列した長方形の形状を用いたが、これに限らず任意の複数月を行と列に並べて整列した矩形形状でもよく、電池本体の表面に貼付できる形状ならば採用できる。
尚、電池の本体の表面にラベルを貼付する例について説明したが電池の電極部分を露出し周囲の表面に外装を施したままリモコンに装着できる場合には外装面にシールを貼付してもよい。
【００４８】
又、図４に示す各月を表すシール１３が剥離可能に貼付されている台紙の役目ともなる電池の使用期間管理ラベル１２は矩形形状でも円形でも多角形でも１２ヶ月分の各月に該当する１２枚のシール１３が貼付されるものであればよく、又、シール１３自体が円形状及びその他の形状であってもよい。
尚、上記実施の形態ではリモコンに装着される電池について説明したが一般的な電気器具又は電子機器に装着される電池に適用されることは言うまでもない。
【００４９】
【発明の効果】
以上説明したように、本発明の請求項１記載の電池によれば、電池の使用開始時であって、電気器具又は電子機器を遠隔操作するリモコンに装着する前に当該電池の本体表面に直接使用開始月を書き込み表示することで装着後の使用経過中に当該電池を取り外して表示された使用開始月、即ち使用経過月数を確認できる。そのことによって当該電池の交換が必要か否かの判断が容易にできる。更に、当該リモコンにとって好ましい電池の取り換え時期を目安にして強制的に電池の取り換えをすることができる。又、電池の使用開始月の表示に加え、該当する年表示をしておくことによって、年度をまたがり１２ヶ月を超えた使用経過期間をも正確に確認することができる。
【００５０】
本発明の請求項２記載の電池では、電池本体の表面を凹凸処理されたマット上にインクを乗せておき鉛筆やボールペンで書き付けることを可能としている。それによって、電池の使用者は、使用開始時に簡単に使用開始月を電池の本体表面に書き込むことができる。
【００５１】
本発明の請求項３記載の電池では、電池本体の表面の一部に予め“電池のご使用開始月”の文字を印刷しておく。それによって、電池の使用者は、使用開始時に必ず使用開始月を書き込むことを促され、書き込み忘れを防ぐことができる。
【００５２】
本発明の請求項４記載の電池では、電池の本体表面に電池の使用開始月をマーキングできる１２ヶ月分の月表示が例えば印刷されている。そのことによって、電池の使用者は、使用開始時に使用開始月の数字や、文字を筆記具を用いて囲んだり、チエックするだけの簡単な操作でマーキングすることができる。
【００５３】
本出願の請求項５記載の電池では、月表示を数字表示のみならず、ＪＡＮ，ＦＥＢ  等の英字三文字表示や、やよい（弥生）、きさらぎ（如月）・・しはす（師走）等の陰暦表示をもすることができ使用者の趣味感に合う選択を可能としている。
【００５４】
本出願の請求項６記載の電池では、月表示が電池の本体表面に直接印刷表示されているので使用者は使用開始時の装着前に使用開始月をマーキングを忘れずに実行できる。
【００５５】
本出願の請求項７記載の電池では、電池の本体表面に印刷をする工程を省きシールを貼るだけの簡単な動作で使用開始月を表示できる。
【００５６】
本出願の請求項８記載の電池では、電池の本体表面上に印刷された月表示の隣接する数字間又は文字間に数字や、文字の表面の高さより高いガードを透明樹脂で形成する。それによって、組立て工程中に数字や文字に傷が付いたり、隣り合う電池同士が擦れ合うことによって個々の数字又は文字が損傷又は磨耗することを防ぐことができる。
【００５７】
本出願の請求項９記載の電池では、数字や文字を保護するガードが個々の数字又は文字の周囲を囲み形成することでもよい。それによって、
数字又は文字は四方から確実にガードされる。
【００５８】
本出願の請求項１０記載の電池の使用期間管理ラベルでは、１２ヶ月分の月表示がされたシールが剥離可能に貼付されている。それによって、電池使用者は、該当月のシールを剥がし電池の本体の表面に貼付すればよい。簡単な作業で使用開始月の表示ができる。
【００５９】
本出願の請求項１１記載の電池の使用期間管理ラベルでは、月毎の表示を数字表示のみならず、ＪＡＮ，ＦＥＢ  等の英字三文字表示や、やよい（弥生）、きさらぎ（如月）・・しはす（師走）等の陰暦表示をもすることができ使用者の趣味感に合うシールの選択を可能としている。
【図面の簡単な説明】
【図１】本発明の一実施の形態を示す電池の外観図である。
【図２】本発明の他の実施の形態を示す電池の外観図である。
【図３】本発明の更に他の実施の形態を示す電池の外観図である。
【図４】本発明の使用期間管理ラベルの表示例を示す図である。
【図５】図４に示す使用期間管理ラベルを電池の本体表面に貼付した使用例を示す外観図である。
【図６】本発明の一実施の形態を示す月毎のシールを剥離可能に並べてなる電池の使用期間管理ラベルを示す図である。
【図７】図６に示す電池の使用期間管理用ラベルを電池の表面に該当月のシールを貼付した使用例を示す図である。
【図８】転写シールを用いて電池の表面に使用開始月を転写することを説明する図である。
【図９】図３に示す電池の本体表面に印刷された数字と数字との間にガードを設けた実施の形態を示す図である。
【図１０】図９に示す文字とガードとの高さの違いを示す側面図である。
【図１１】図９に示す個々の数字をガードで囲んだ状態を示す平面図である。
【符号の説明】
１０  電池、    １１、１２  電池使用管理用ラベル、    １３  シール、
１５，１７      ガード
【図１】
2004171826.tif 000003
【図２】
2004171826.tif 000004
【図３】
2004171826.tif 000005
【図４】
2004171826.tif 000006
【図５】
2004171826.tif 000007
【図６】
2004171826.tif 000008
【図７】
2004171826.tif 000009
【図８】
2004171826.tif 000010
【図９】
2004171826.tif 000011
【図１０】
2004171826.tif 000012
【図１１】
2004171826.tif 000013